(57)【要約】【課題】  使用寿命を延長できる、バックル装置の提供。【解決手段】  本発明のバックル装置は、本体ユニットと、ロックディスクユニットと、押止ユニットと、弾性ユニットを含み、該本体ユニットが、ラッチ装置ハウジングを含み、該ロックディスクユニットが、少なくとも１つの垂直ロックディスクを含み、該押止ユニットが、押圧本体を含み、該弾性ユニットが、第１スプリングを含み、該第１スプリングの一端が該垂直ロックディスクに設置され、該第１スプリングの他端が該押圧本体に設置され、該第１スプリングが押しばねであり、該バックル装置の使用寿命を延長できる。【選択図】図４
2020110574.tif 000002
【特許請求の範囲】
【請求項１】
バックル装置であって、本体ユニットと、少なくとも１つのロックディスクユニットと、押止ユニットと、弾性ユニットを含み、
該本体ユニットが、囲んで収容空間を定義するラッチ装置ハウジングと、該収容空間に設置されたロックディスク支持体と、該収容空間に設置された押圧支持体を含み、
該ロックディスクユニットが、該ロックディスク支持体に枢設された垂直ロックディスクと、該垂直ロックディスクに設置された第１クランプ部と、該垂直ロックディスクに設置されたばね収容部と、該垂直ロックディスクに設置されたばねロックディスク支持部と、該垂直ロックディスクに設置された回動規制部を含み、該垂直ロックディスクが、ロックディスクロック位置とロックディスクロック解除位置間で回動でき、該押圧支持体が該回動規制部を支持することができ、
該押止ユニットが、該ラッチ装置ハウジングに設置された押圧本体と、該押圧本体に設置された少なくとも１つの押圧規制孔と、該押圧本体に設置された少なくとも１つの押圧係止部と、該押圧本体に設置された少なくとも１つのばね押圧支持部を含み、該垂直ロックディスクが該ロックディスクロック位置にあるとき、該押圧支持体と該押圧規制孔が相互に組み合わされて、該押圧本体を押圧ロック位置と押圧ロック解除位置間で移動させ、該押圧本体が該押圧ロック位置にあるとき、該第１クランプ部と該押圧係止部が嵌合され、該垂直ロックディスクが該ロックディスクロック位置に固定され、
該弾性ユニットが、少なくとも１つの第１スプリングを含み、該第１スプリングが押しばねであり、該ばねロックディスク支持部が該第１スプリングの一端を支持するために用いられ、該ばね押圧支持部が該第１スプリングの他端を支持するために用いられ、該ばね収容部に該第１スプリングを収容でき、該第１スプリングが該垂直ロックディスクを該ロックディスクロック解除位置に押し動かすために用いられ、該第１スプリングが該押圧本体を該押圧ロック位置に押し動かすために用いられる、ことを特徴とする、バックル装置。
【請求項２】
前記ばねロックディスク支持部が該垂直ロックディスクから突出した凸縁であり、該第１スプリングの一端を該ばねロックディスク支持部に被せて設置することができる、ことを特徴とする、請求項１に記載のバックル装置。
【請求項３】
前記ばね押圧支持部が該押圧本体から突出した凸縁であり、該第１スプリングの他端を該ばね押圧支持部に被せて設置することができる、ことを特徴とする、請求項１に記載のバックル装置。
【請求項４】
前記ばねロックディスク支持部が該ばね収容部の横に設置され、該第１スプリングが該垂直ロックディスクを押して回動させることができる、ことを特徴とする、請求項１に記載のバックル装置。
【請求項５】
前記ロックディスクユニットがさらに該垂直ロックディスクに設置された外縁側突起体を含み、該外縁側突起体が該第１スプリングの一端の外側を支持するために用いられる、ことを特徴とする、請求項１に記載のバックル装置。
【請求項６】
前記ロックディスクユニットがさらに該回動規制部に設置されたストッパ部を含み、該ストッパ部が該垂直ロックディスクの該ロックディスクロック解除位置における回動角度を制御するために用いられる、ことを特徴とする、請求項１に記載のバックル装置。
【請求項７】
前記バックル装置が分離可能に結合されるラッチプレート装置に適用され、該ラッチプレート装置上にタングプレートが設けられ、該本体ユニットがさらに、該ラッチ装置ハウジングに設置されたラッチプレート通孔を含み、該ラッチプレート通孔が該タングプレートの挿設に用いられ、該ロックディスクユニットがさらに、該垂直ロックディスクに設置された第２クランプ部を含み、該押圧本体が該押圧ロック位置にあるとき、該タングプレートと該第２クランプ部が嵌合され、該ラッチプレート装置が該バックル装置から分離できなくなる、ことを特徴とする、請求項１に記載のバックル装置。
【請求項８】
さらに少なくとも１つの電磁ロックユニットを含み、該電磁ロックユニットが該ラッチ装置ハウジングに設置された電磁本体と、該電磁本体に枢設された電磁伸縮棒と、該電磁伸縮棒に設置された電磁係止部を含み、該ロックディスクユニットがさらに、該垂直ロックディスクに設置された第３クランプ部を含み、該弾性ユニットがさらに、少なくとも１つの第２スプリングを含み、該垂直ロックディスクが該ロックディスクロック位置にあるとき、該電磁伸縮棒が電磁ロック位置と電磁ロック解除位置の間で移動でき、該電磁本体が該電磁伸縮棒を該電磁ロック解除位置まで押し動かすために用いられ、該第２スプリングが該電磁伸縮棒を該電磁ロック位置まで押し動かすために用いられ、該電磁伸縮棒が該電磁ロック位置まで移動すると、該電磁係止部と該第３クランプ部が嵌合され、該垂直ロックディスクが該ロックディスクロック位置で固定される、ことを特徴とする、請求項１に記載のバックル装置。
【請求項９】
前記電磁ロックユニットがさらに、該電磁本体に設置されたばね磁体支持部と、該電磁伸縮棒に設置されたばね棒体支持部を含み、該第２スプリングが押しばねであり、該第２スプリングが該電磁伸縮棒に被せて設置され、該ばね磁体支持部が該第２スプリングの一端を支持するために用いられ、該ばね棒体支持部が該第２スプリングの他端を支持するために用いられる、ことを特徴とする、請求項８に記載のバックル装置。
【請求項１０】
前記本体ユニットがさらに、該収容空間に設置された棒体支持体を含み、該電磁ロックユニットがさらに、該電磁伸縮棒に設置された棒体規制孔を含み、該棒体支持体と該棒体規制孔の相互の組み合わせで該電磁伸縮棒の該電磁ロック解除位置と該電磁ロック位置間での移動位置を規制する、ことを特徴とする、請求項８に記載のバックル装置。
【発明の詳細な説明】
【技術分野】
【０００１】
本発明はバックル装置に関し、特に、椅子に設置されるバックル装置に関する。
【背景技術】
【０００２】
体感型の椅子には人体を椅子に固定するための固定ベルトとラッチ装置が設置され、椅子が体感動力を提供するときに人体が放り出されないようにしている。
【０００３】
台湾特許第Ｍ４７３８５９号において、シートベルトに用いるラッチ装置１が開示されており、これは該ラッチ装置１に組み合わされるラッチプレートがシートに座った人によって開かれないように制御し、シートが体感動力を提供するとき、シートに座った人をより一層保護することができるものである。
【０００４】
図１に示すように、該ラッチ装置１は、ハウジング１０１内に設置された第１横棒１０２と、該第１横棒１０２に設置された２つの第１連接部１０３と、該ハウジング１０１内に設置された第２横棒１０４と、該第２横棒１０４に枢設された２つの垂直ロックディスク１０５と、該２つの垂直ロックディスク１０５に設置された２つの第２連接部１０６と、該第１連接部１０３と該第２連接部１０６に設置された２つの第１ばね１０７を含む。該２つの第１ばね１０７は引張ばねであり、該２つの垂直ロックディスク１０５を引っ張り該ハウジング１０１内で回動させるために用いられる。該２つの第１ばね１０７の両端に円形の第１フック１０８がそれぞれ設けられ、該複数の第１フック１０８は該２つの第１連接部１０３及び該２つの第２連接部１０５にそれぞれ掛合するために用いられる。
【０００５】
図２に示すように、該ラッチ装置１はさらに、該ハウジング１０１に設置された第３横棒１０９と、該ハウジング１０１内に設置された押圧体１１０と、該押圧体１１０に設置された２つの第３連接部１１１と、該第３横棒１０９と該第３連接部１１１の間に設置された２つの第２ばね１１２を含む。該２つの第２ばね１１２は引張ばねであり、該押圧体１１０を引っ張り該ハウジング１０１内で移動させるために用いられる。該２つの第２ばね１１２の両端に円形の第２フック１１３がそれぞれ設けられ、該複数の第２フック１１３は該第３横棒１０９及び該第３連接部１１１にそれぞれ掛合するために用いられる。
【０００６】
図３に示すように、該ラッチ装置１はさらに、該ハウジング１０１に設置された第４横棒１１４と、該ハウジング１０１に設置された２つの電磁部材１１５と、該電磁部材１１５に枢設された２つの金属棒１１６と、該２つの金属棒１１６に設置された２つの第４連接部１１７と、該第４横棒１１４と該第４連接部１１７の間に設置された２つの第３ばね１１８を含む。該２つの第３ばね１１８は引張ばねであり、該金属棒１１６を引っ張り該ハウジング１０１内で移動させるために用いられる。該２つの第３ばね１１８の両端に円形の第３フック１１９がそれぞれ設けられ、該複数の第３フック１１９は該第４横棒１１４及び該第４連接部１１７にそれぞれ掛合するために用いられる。
【０００７】
そのうち、該第１ばね１０７と該第１フック１０８の連接箇所、該第２ばね１１２と該第２フック１１３の連接箇所、該第３ばね１１８と該第３フック１１９の連接箇所は、ばねの使用回数または使用時間によって疲労性の断裂が発生する。
【０００８】
上述の説明から分かるように、シートベルトに用いるラッチ装置が開示されているが、実際の使用上はまだ次の欠点がある。
【０００９】
一、耐用性の不足：
従来品は引張ばねを使用しているため、引張ばねの両側に環状フックを設置しなければ２つの物体に掛止することができず、かつ２つの物体間に引っ張り力を提供するが、引張ばねと環状フックの連接箇所に一定の伸縮回数後断裂の現象が発生するため、耐用性が明らかに不足している。
【００１０】
二、複雑な組立て工程：
上述を受け、各フックを物体上の連接部に掛止する必要があり、ラッチ装置の部材が複雑で、一定の組立て工程に従って組立てを行わなければならず、組立て工程が複雑である。例えば、従来の第３横棒１０９は該第２ばね１１２の第２フック１１３を掛止させるだけでなく、さらに該押圧体１１０に穿通させて該押圧体１１０の移動範囲を規制する必要があり、部材の組立て上一定の難度がある。
【００１１】
三、複雑な構造：
各可動体にばねを設置してハウジングの固定部材に固定する必要があり、従来の第２連接部１０６及び第４連接部１１７はねじ部材であり、第１連接部１０３と第３連接部１１１は凸体構造である。かつ使用するばねの数量が多く、従来のラッチ装置の構造は比較的複雑である。
【００１２】
このため、いかにラッチ装置の耐用性を高め、同時にラッチ装置の構造を簡素化するかが、関連技術者の努力が必要な目標となっている。
【先行技術文献】
【特許文献】
【００１３】
【特許文献１】台湾特許第Ｍ４７３８５９号明細書
【発明の概要】
【発明が解決しようとする課題】
【００１４】
これに鑑み、本発明の目的は、使用寿命を延長できる、バックル装置を提供することにある。
【課題を解決するための手段】
【００１５】
本発明のバックル装置は、本体ユニットと、少なくとも１つのロックディスクユニットと、押止ユニットと、弾性ユニットを含む。
【００１６】
該本体ユニットは、囲んで収容空間を定義するラッチ装置ハウジングと、該収容空間に設置されたロックディスク支持体と、該収容空間に設置された押圧支持体を含む。
【００１７】
該ロックディスクユニットは、少なくとも１つの該ロックディスク支持体に枢設された垂直ロックディスクと、該垂直ロックディスクに設置された第１クランプ部と、該垂直ロックディスクに設置されたばね収容部と、該垂直ロックディスクに設置されたばねロックディスク支持部と、該垂直ロックディスクに設置された回動規制部を含み、該垂直ロックディスクが、ロックディスクロック位置とロックディスクロック解除位置間で回動でき、該押圧支持体が該回動規制部を支持することができる。
【００１８】
該押止ユニットは、該ラッチ装置ハウジングに設置された押圧本体と、該押圧本体に設置された少なくとも１つの押圧規制孔と、該押圧本体に設置された少なくとも１つの押圧係止部と、該押圧本体に設置された少なくとも１つのばね押圧支持部を含み、該垂直ロックディスクが該ロックディスクロック位置にあるとき、該押圧支持体と該押圧規制孔が相互に組み合わされて、該押圧本体を押圧ロック位置と押圧ロック解除位置間で移動させ、該押圧本体が該押圧ロック位置にあるとき、該第１クランプ部と該押圧係止部が嵌合され、該垂直ロックディスクが該ロックディスクロック位置に固定される。
【００１９】
該弾性ユニットは、少なくとも１つの第１スプリングを含み、該第１スプリングが押しばねであり、該ばねロックディスク支持部が該第１スプリングの一端を支持するために用いられ、該ばね押圧支持部が該第１スプリングの他端を支持するために用いられ、該ばね収容部に該第１スプリングを収容でき、該第１スプリングが該垂直ロックディスクを該ロックディスクロック解除位置に押し動かすために用いられ、該第１スプリングが該押圧本体を該押圧ロック位置に押し動かすために用いられる。
【００２０】
本発明の一技術手段では、上述の該ばねロックディスク支持部が該垂直ロックディスクから突出した凸縁であり、該第１スプリングの一端を該ばねロックディスク支持部に被せて設置することができる。
【００２１】
本発明の別の一技術手段では、上述の該ばね押圧支持部が該押圧本体から突出した凸縁であり、該第１スプリングの他端を該ばね押圧支持部に被せて設置することができる。
【００２２】
本発明のさらなる一技術手段では、上述の該ばねロックディスク支持部が該ばね収容部の横に設置され、該第１スプリングが該垂直ロックディスクを押して回動させることができる。
【００２３】
本発明のまた別の一技術手段では、上述の該ロックディスクユニットがさらに該垂直ロックディスクに設置された外縁側突起体を含み、該外縁側突起体が該第１スプリングの一端の外側を支持するために用いられる。
【００２４】
本発明の別の一技術手段では、上述の該ロックディスクユニットがさらに該回動規制部に設置されたストッパ部を含み、該ストッパ部が該垂直ロックディスクの該ロックディスクロック解除位置における回動角度を制御するために用いられる。
【００２５】
本発明のさらに別の一技術手段では、上述の該バックル装置が分離可能に結合されるラッチプレート装置に適用され、該ラッチプレート装置上にタングプレートが設けられ、該本体ユニットがさらに、該ラッチ装置ハウジングに設置されたラッチプレート通孔を含み、該ラッチプレート通孔が該タングプレートの挿設に用いられ、該ロックディスクユニットがさらに、該垂直ロックディスクに設置された第２クランプ部を含み、該押圧本体が該押圧ロック位置にあるとき、該タングプレートと該第２クランプ部が嵌合され、該ラッチプレート装置が該バックル装置から分離できなくなる。
【００２６】
本発明のまた別の一技術手段では、上述の該バックル装置がさらに、少なくとも１つの電磁ロックユニットを含み、該電磁ロックユニットが該ラッチ装置ハウジングに設置された電磁本体と、該電磁本体に枢設された電磁伸縮棒と、該電磁伸縮棒に設置された電磁係止部を含み、該ロックディスクユニットがさらに、該垂直ロックディスクに設置された第３クランプ部を含み、該弾性ユニットがさらに、少なくとも１つの第２スプリングを含み、該垂直ロックディスクが該ロックディスクロック位置にあるとき、該電磁伸縮棒が電磁ロック位置と電磁ロック解除位置の間で移動でき、該電磁本体が該電磁伸縮棒を該電磁ロック解除位置まで押し動かすために用いられ、該第２スプリングが該電磁伸縮棒を該電磁ロック位置まで押し動かすために用いられ、該電磁伸縮棒が該電磁ロック位置まで移動すると、該電磁係止部と該第３クランプ部が嵌合され、該垂直ロックディスクが該ロックディスクロック位置で固定される。
【００２７】
本発明の別の技術手段では、上述の該電磁ロックユニットがさらに、該電磁本体に設置されたばね磁体支持部と、該電磁伸縮棒に設置されたばね棒体支持部を含み、該第２スプリングが押しばねであり、該第２スプリングが該電磁伸縮棒に被せて設置され、該ばね磁体支持部が該第２スプリングの一端を支持するために用いられ、該ばね棒体支持部が該第２スプリングの他端を支持するために用いられる。
【００２８】
本発明のさらなる一技術手段では、上述の該本体ユニットがさらに、該収容空間に設置された棒体支持体を含み、該電磁ロックユニットがさらに、該電磁伸縮棒に設置された棒体規制孔を含み、該棒体支持体と該棒体規制孔の相互の組み合わせで該電磁伸縮棒の該電磁ロック解除位置と該電磁ロック位置間での移動位置を規制する。
【発明の効果】
【００２９】
本発明の有益な効果は次のとおりである。該ばねロックディスク支持部と該ばね押圧支持部の設計により該第１スプリングの環状フックを使用する必要なく設置でき、かつ該第１スプリングが押しばねであり、該バックル装置の使用寿命を延長することができ、該第１スプリングがさらに推力で該垂直ロックディスクを回動させ、推力で該押圧本体を移動させることができ、該バックル装置の基本機能が保持される。
【図面の簡単な説明】
【００３０】
【図１】従来のバックル装置の第１ばねの設置状況を示す概略図である。
【図２】従来のバックル装置の第２ばねの設置状況を示す概略図である。
【図３】従来のバックル装置の第３ばねの設置状況を示す概略図である。
【図４】本発明のバックル装置の好ましい実施例の概略図であり、ラッチプレート装置と該バックル装置が係合され、垂直ロックディスクがロックディスクロック位置にあり、押圧本体が押圧ロック位置にあり、電磁伸縮棒が電磁ロック位置ある状態を示す。
【図５】本発明の該好ましい実施例において、該垂直ロックディスクが該ロックディスクロック位置にあり、該押圧本体が押圧ロック解除位置にあり、該電磁伸縮棒が該電磁ロック位置にある状態を示す。
【図６】本発明の該好ましい実施例において、該垂直ロックディスクが該ロックディスクロック位置にあり、該押圧本体が該押圧ロック位置にあり、該電磁伸縮棒が該電磁ロック解除位置にある状態を示す。
【図７】本発明の該好ましい実施例において、該ラッチプレート装置と該バックル装置が分離され、該垂直ロックディスクがロックディスクロック解除位置にあり、該押圧本体が押圧ロック解除位置にあり、該電磁伸縮棒が該電磁ロック解除位置にある状態を示す。
【発明を実施するための形態】
【００３１】
本発明の特色と技術内容についてはっきりと示すため、以下図面と好ましい実施例を組み合わせ、詳細に説明する。
【００３２】
図４に本発明のバックル装置の好ましい実施例を示す。該バックル装置は分離可能に結合されるラッチプレート装置２に適用される。該ラッチプレート装置２上にタングプレート２１が設けられる。
【００３３】
該好ましい実施例において、該バックル装置は、本体ユニット３と、２つのロックディスクユニット４と、押止ユニット５と、２つの電磁ロックユニット６と、弾性ユニット７を含む。
【００３４】
該本体ユニット３は、囲んで収容空間３１を定義するラッチ装置ハウジング３２と、該ラッチ装置ハウジング３２に設置されたラッチプレート通孔３３と、該収容空間３１に設置されたロックディスク支持体３４と、該収容空間３１に設置された押圧支持体３５と、該収容空間３１に設置された棒体支持体３６を含む。
【００３５】
各ロックディスクユニット４は、該ロックディスク支持体３４に枢設された垂直ロックディスク４１と、該垂直ロックディスク４１に設置されたばね収容部４２と、該垂直ロックディスク４１に設置されたばねロックディスク支持部４３と、該垂直ロックディスク４１に設置された外縁側突起体４４と、該垂直ロックディスク４１に設置された回動規制部４５と、該回動規制部４５に設置されたストッパ部４６と、該垂直ロックディスク４１に設置された第１クランプ部４７と、該垂直ロックディスク４１に設置された第２クランプ部４８と、該垂直ロックディスク４１に設置された第３クランプ部４９を含む。
【００３６】
該押止ユニット５は、該ラッチ装置ハウジング３２に設置された押圧本体５１と、該押圧本体５１に設置された２つの押圧規制孔５２と、該押圧本体５１に設置された２つの押圧係止部５３と、該押圧本体５１に設置された２つのばね押圧支持部５４を含む。
【００３７】
各電磁ロックユニット６は、該ラッチ装置ハウジング３２に設置された電磁本体６１と、該電磁本体６１に枢設された電磁伸縮棒６２と、該電磁伸縮棒６２に設置された電磁係止部６３と、該電磁本体６１に設置されたばね磁体支持部６４と、該電磁伸縮棒６２に設置されたばね棒体支持部６５と、該電磁伸縮棒６２に設置された棒体規制孔６６を含む。
【００３８】
該弾性ユニット７は、該ばねロックディスク支持部４３と該ばね押圧支持部５４の間に設置された２つの第１スプリング７１と、該ばね磁体支持部６４と該ばね棒体支持部６５の間に設置された２つの第２スプリング７２を含む。
【００３９】
実際の実施時、該ロックディスクユニット４、該押圧規制孔５２、該押圧係止部５３、該ばね押圧支持部５４、該第１スプリング７１、該第２スプリング７２の設置数量は実際の状況に応じ、これに限らない。
【００４０】
該タングプレート２１は該ラッチプレート装置２の一端に設置され、該ラッチプレート装置２の他端とシートのシートベルトが連接される。該ロックディスクユニット４の数量に合わせ、該タングプレート２１上に２つの係合孔が設置され、該本体ユニット３のラッチプレート通孔３３は該ラッチプレート装置２のタングプレート２１の挿設に用いられる。実際の実施時、該タングプレート２１上の係合孔の数量は該ロックディスクユニット４の設置数量に合わせる必要があり、これに限らない。
【００４１】
該好ましい実施例において、該ロックディスク支持体３４、該押圧支持体３５、該棒体支持体３６は該収容空間３１に横方向に設置された円形柱体であり、かつ該ロックディスク支持体３４、該押圧支持体３５、該棒体支持体３６の両端は該ラッチ装置ハウジング３２上に固定される。
【００４２】
該第１スプリング７１は押しばねであり、該ばねロックディスク支持部４３は該第１スプリング７１の一端を支持するために用いられ、該ばね押圧支持部５４は該第１スプリング７１の他端を支持するために用いられる。該ばねロックディスク支持部４３は該垂直ロックディスク４１から突出した凸縁であり、該第１スプリング７１の一端を該ばねロックディスク支持部４３に被せて設置することができる。該ばね押圧支持部５４は該押圧本体５１から突出した凸縁であり、該第１スプリング７１の他端を該ばね押圧支持部５４に被せて設置することができる。
【００４３】
注目すべきは、本発明の第１スプリング７１には押しばねを使用するため、該第１スプリング７１の一端を該ばねロックディスク支持部４３に被せて設置することで、該垂直ロックディスク４１を押し動かして回動させることができ、該第１スプリング７１の他端を該ばね押圧支持部５４に被せて設置することで、該押圧本体５１を押して移動させることができ、早期に使用された引張ばね両端の環状フックを用いて２つの物体間に引っ張り力を提供し、環状フックと引張ばねの連接箇所に金属弾性疲労による断裂が生じる問題を効果的に回避することができる点である。本発明は該バックル装置の使用寿命を確実に延長することができる。
【００４４】
該垂直ロックディスク４１は概ね板体を呈し、該ロックディスク支持体３４が該垂直ロックディスク４１の中心箇所に設置され、該ばね収容部４２が該垂直ロックディスク４１外縁の凹溝に凹陥され、該ばねロックディスク支持部４３が該ばね収容部４２の横に設置され、該第１スプリング７１が該垂直ロックディスク４１を押して回動させることができ、かつ該ばね収容部４２に該第１スプリング７１を収容することができる。該外縁側突起体４４は該垂直ロックディスク４１の外側に設置され、該外縁側突起体４４は、該ばねロックディスク支持部４３に被せて設置された第１スプリング７１の一端の外側を支持するために用いられ、該第１スプリング７１の一端が該垂直ロックディスク４１の外縁からはみ出さないようにするとともに、該第１スプリング７１がその他の構造体に干渉して引っかかり、該垂直ロックディスク４１が円滑に回動しないことがないようにすることができる。
【００４５】
該垂直ロックディスク４１は該ロックディスク支持体３４において回動でき、かつ該垂直ロックディスク４１はロックディスクロック位置とロックディスクロック解除位置の間で回動する。
【００４６】
該タングプレート２１は該ラッチプレート通孔３３から該本体ユニット３の収容空間３１に進入させることができ、該ラッチプレート装置２のタングプレート２１が該ラッチプレート通孔３３から該収容空間３１に挿入されると、該タングプレート２１が該垂直ロックディスク４１を押し動かして該ロックディスクロック位置まで回動させることができる。
【００４７】
該第２スプリング７２は押しばねであり、該電磁伸縮棒６２に被せて設置され、該ばね磁体支持部６４は該第２スプリング７２の一端を支持するために用いられ、該ばね棒体支持部６５は該第２スプリング７２の他端を支持するために用いられる。該第２スプリング７２は該電磁伸縮棒６２を押して該電磁ロック位置に移動させることができる。
【００４８】
該電磁本体６１の通電時、該第２スプリング７２の推力に反抗して該電磁伸縮棒６２を該電磁ロック解除位置まで押し動かすことができ、該電磁本体６１の通電がないとき、該第２スプリング７２が該電磁伸縮棒６２を押して移動させることができる。
【００４９】
該棒体支持体３６と該棒体規制孔６６の相互の組み合わせで該電磁伸縮棒６２の該電磁ロック解除位置と該電磁ロック位置間での移動位置を規制する。
【００５０】
図４、図５に示すように、該垂直ロックディスク４１が該ロックディスクロック位置にあるとき、該押圧支持体３５と該押圧規制孔５２の相互の組み合わせで、該押圧本体５１を押圧ロック位置と押圧ロック解除位置の間で移動させる。
【００５１】
該押圧本体５１が該押圧ロック位置にあるとき、該第１スプリング７１は該押圧本体５１を該押圧ロック位置に押し動かすことができ、該第１クランプ部４７と該押圧係止部５３の嵌合で該垂直ロックディスク４１を該ロックディスクロック位置に固定することができる。
【００５２】
該押圧本体５１は外力を受け取り該第１スプリング７１の推力に反抗し、該押圧本体５１を該押圧ロック解除位置まで移動させることができる。
【００５３】
そのうち、該電磁係止部６３と該第３クランプ部４９が相互に嵌合されるため、該押圧本体５１が該押圧ロック解除位置にあるとき、該第１クランプ部４７と該押圧係止部５３が分離され、該垂直ロックディスク４１も回動されず、該ロックディスクロック位置に固定される。
【００５４】
図４、図６に示すように、該垂直ロックディスク４１が該ロックディスクロック位置にあるとき、該電磁伸縮棒６２は電磁ロック位置と電磁ロック解除位置間で移動することができる。該電磁本体６１は該電磁伸縮棒６２を該電磁ロック解除位置真で押し動かすために用いられ、該第２スプリング７２は該電磁伸縮棒６２を該電磁ロック位置真で押し動かすために用いられる。
【００５５】
該電磁伸縮棒６２が該電磁ロック位置まで移動されると、該電磁係止部６３と該第３クランプ部４９が嵌合されて該垂直ロックディスク４１が該ロックディスクロック位置に固定される。
【００５６】
該電磁伸縮棒６２が該電磁ロック解除位置まで移動されると、該押圧本体５１が該押圧ロック位置に位置し、該タングプレート２１と該第２クランプ部４８が嵌合されているため、該垂直ロックディスク４１は回動されず、該ロックディスクロック位置に固定される。
【００５７】
該垂直ロックディスク４１が該押圧本体５１または該電磁伸縮棒６２によって該ロックディスクロック位置に固定されているとき、該ラッチプレート装置２のタングプレート２１を該バックル装置から分離することはできない。
【００５８】
図７に示すように、該押圧本体５１が該押圧ロック解除位置にあり、同時に該電磁伸縮棒６２が該電磁ロック解除位置にあるとき、該第１スプリング７１が該垂直ロックディスク４１を押して回動させ、該押圧支持体３５と該回動規制部４５の当接を組み合わせ、該垂直ロックディスク４１を該ロックディスクロック解除位置まで回動させることができる。
【００５９】
該回動規制部４５は該垂直ロックディスク４１の外縁に突出しており、該回動規制部４５は該第１スプリング７１が該垂直ロックディスク４１に加える推力を支持し、該垂直ロックディスク４１を該ロックディスクロック解除位置に位置させるために用いられる。
【００６０】
該ストッパ部４６は該回動規制部４５の凸縁上にある斜辺であり、該垂直ロックディスク４１の該ロックディスクロック解除位置における回動角度を制御するために用いられる。
【００６１】
該押圧本体５１が外力により該押圧ロック解除位置まで押し動かされ、同時に該電磁伸縮棒６２が該電磁本体６１により該電磁ロック解除位置まで押し動かされると、該第１スプリング７１が該垂直ロックディスク４１を押して該ロックディスクロック解除位置で回動させ、該ラッチプレート装置２のタングプレート２１を外側へ押し出すことができる。
【００６２】
上述の説明から分かるように、本発明のバックル装置は次の効果を確実に備えている。
【００６３】
一、使用寿命を延長する：
本発明の第１スプリング７１及び第２スプリング７２は押しばねを使用しているため、早期の引張ばねを使用したときに発生する金属弾性疲労による断裂を改善でき、本発明のバックル装置の使用寿命を延長することができる。
【００６４】
二、ばねの動作が円滑である：
該外縁側突起体４４が該ばねロックディスク支持部４３に被せて設置された第１スプリング７１の一端の外側を支持することができ、該第１スプリング７１の一端が該垂直ロックディスク４１の外縁からはみ出さないようにするとともに、該第１スプリング７１がその他の構造体に干渉して引っかかることを回避し、該第１スプリング７１が該垂直ロックディスク４１を円滑に回動させることができる。
【００６５】
三、位置を正確に制御する：
該ストッパ部４６は該回動規制部４５の凸縁に形成された斜辺であり、正確に該第１スプリング７１が該垂直ロックディスク４１を押し動かして該ロックディスクロック解除位置まで回動させ、該ラッチプレート装置２のタングプレート２１を外部に押し出させることができ、さらに該回動規制部４５と該押圧本体５１の相互干渉で生じる構造的摩擦を回避できる。
【００６６】
上述をまとめると、本発明は該第１スプリング７１及び第２スプリング７２に押しばねを使用しており、さらに該垂直ロックディスク４１上に該ばね収容部４２、該ばねロックディスク支持部４３、該外縁側突起体４４を設置し、該押圧本体５１上にばね押圧支持部５４を設置することで、該第１スプリング７１が該垂直ロックディスク４１をそれぞれ回動させるとともに、該押圧本体５１を移動させることができ、ばねの設置数量を効果的に減少し、かつ該バックル装置の動作を維持することができる。また、押しばねの該第１スプリング７１と第２スプリング７２の利用により、金属弾性疲労による断裂が生じにくく、本発明のバックル装置の使用寿命を延長できるため、本発明の目的を確実に達成することができる。
【００６７】
以上の説明は、本発明の好ましい実施例に基づくものであり、これを以って本発明の実施の範囲を限定することはできず、本発明の特許請求の範囲及び明細書の内容に基づいた簡単な同等効果の変化や修飾はすべて本発明の特許範囲内に含まれる。
【符号の説明】
【００６８】
１ ラッチ装置
１０１ ハウジング
１０２ 第１横棒
１０３ 第１連接部
１０４ 第２横棒
１０５ 垂直ロックディスク
１０６ 第２連接部
１０７ 第１ばね
１０８ 第１フック
１０９ 第３横棒
１１０ 押圧体
１１１ 第３連接部
１１２ 第２ばね
１１３ 第２フック
１１４ 第４横棒
１１５ 電磁部材
１１６ 金属棒
１１７ 第４連接部
１１８ 第３ばね
１１９ 第３フック
２ ラッチプレート装置
２１ タングプレート
３ 本体ユニット
３１ 収容空間
３２ ラッチ装置ハウジング
３３ ラッチプレート通孔
３４ ロックディスク支持体
３５ 押圧支持体
３６ 棒体支持体
４ ロックディスクユニット
４１ 垂直ロックディスク
４２ ばね収容部
４３ ばねロックディスク支持部
４４ 外縁側突起体
４５ 回動規制部
４６ ストッパ部
４７ 第１クランプ部
４８ 第２クランプ部
４９ 第３クランプ部
５ 押止ユニット
５１ 押圧本体
５２ 押圧規制孔
５３ 押圧係止部
５４ ばね押圧支持部
６ 電磁ロックユニット
６１ 電磁本体
６２ 電磁伸縮棒
６３ 電磁係止部
６４ ばね磁体支持部
６５ ばね棒体支持部
６６ 棒体規制孔
７ 弾性ユニット
７１ 第１スプリング
７２ 第２スプリング
【図１】
2020110574.tif 000003
【図２】
2020110574.tif 000004
【図３】
2020110574.tif 000005
【図４】
2020110574.tif 000006
【図５】
2020110574.tif 000007
【図６】
2020110574.tif 000008
【図７】
2020110574.tif 000009